(57)【特許請求の範囲】
【請求項１】
フロントパネル（２）を引き出しフレーム部材（３）に取り付ける家具用取付具（１）であって、
前記引き出しフレーム部材（３）に取り付けられる前記フロントパネル（２）の固定装置（４）と、
前記フロントパネル（２）に取付け可能であり、かつ前記フロントパネル（２）に固定するための取付け要素（６）を有する接続要素（５）と、
を備え、
前記接続要素（５）は、前記固定装置（４）に対して定位置に、解放可能に固定可能であり、且つ、第１の部分（５ａ）と前記取付け位置において前記第１の部分（５ａ）に対して間隔を開けて設けられた第２の部分（５ｂ）とを有し、前記接続要素（５）の前記第１の部分（５ａ）は少なくとも２つの取付け要素（６）によって前記フロントパネル（２）に接続可能であり、前記接続要素（５）の前記第２の部分（５ｂ）は少なくとも２つの別の取付け要素（６）によって前記フロントパネル（２）に接続可能であることを特徴とする、フロントパネル（２）を引き出しフレーム部材（３）に取り付ける家具用取付具（１）。
【請求項２】
前記接続要素（５）は少なくとも２つのラッチング要素（７、８）を有し、それによって前記接続要素（５）は前記固定装置（４）に固定可能であり、前記接続要素（５）の前記第１の部分（５ａ）は前記第１のラッチング要素（７）を有し、前記接続要素（５）の前記第２の部分（５ｂ）は前記第２のラッチング要素（８）を有することを特徴とする、請求項１に記載の家具用取付具。
【請求項３】
前記接続要素（５）の前記第１の部分（５ａ）および前記第２の部分（５ｂ）は、断面がＵ字形でありかつ横断リム（９）によって互いに接続された２つのサイドプレート（１０）を有することを特徴とする、請求項２に記載の家具用取付具。
【請求項４】
前記少なくとも２つの取付け要素（６）は、前記接続要素（５）の前記第１の部分（５ａ）および前記第２の部分（５ｂ）の前記横断リム（９）に固定され、かつ前記接続要素（５）の前記第１の部分（５ａ）および前記第２の部分（５ｂ）の前記横断リム（９）の、前記サイドプレートから遠い側面から突き出ることを特徴とする、請求項３に記載の家具用取付具。
【請求項５】
前記横断リムから遠い領域において、前記サイドプレート（１０）は、前記接続要素（５）の前記第１の部分（５ａ）および前記第２の部分（５ｂ）の前記ラッチング要素（７、８）を形成するピン（１１）によって接続され、前記接続要素（５）の前記第１の部分（５ａ）および前記第２の部分（５ｂ）は前記固定装置（４）のそれぞれのラッチング溝（１２）において前記ピン（１１）によって吊下げ可能であることを特徴とする、請求項３または請求項４に記載の家具用取付具。
【請求項６】
前記接続要素（５）の前記第１の部分（５ａ）および前記第２の部分（５ｂ）は、実質的に同じであることを特徴とする、請求項１から５のいずれか１項に記載の家具用取付具。
【請求項７】
前記接続要素（５）の前記第１の部分（５ａ）および前記第２の部分（５ｂ）は、前記フロントパネル（２）への前記取付け位置において互いに固定された移動不可能な位置関係を有することを特徴とする、請求項１から６のいずれか１項に記載の家具用取付具。
【請求項８】
前記固定装置（４）は、前記固定装置（４）の調整プレート（４ａ）に係合する少なくとも２つの調整要素（１３、１４）を有し、それによって前記接続要素（５）は前記フロントパネル（２）とともに前記固定装置（４）に取り付けられている状態で高さ方向（ＨＲ）および横方向（ＳＲ）に前記固定装置（４）に対する位置について移動可能であること特徴とする、請求項５に記載の家具用取付具。
【請求項９】
前記接続要素（５）は、前記調整プレート（４ａ）における前記ラッチング溝（１２）において前記ラッチング要素（７、８）によって係合して吊り下げ可能であることを特徴とする、請求項８に記載の家具用取付具。
【請求項１０】
前記固定装置（４）は、一体調整プレートを有することを特徴とする、請求項１から９のいずれか１項に記載の家具用取付具。
【請求項１１】
前記接続要素（５）の前記第１の部分（５ａ）および前記第２の部分（５ｂ）は、前記一体調整プレートに固定可能であることを特徴とする、請求項１０に記載の家具用取付具。
【請求項１２】
引き出しの底（１６）と、引き出し後壁（１７）と、前記引き出し側壁を形成する２つの引き出しフレーム部材（３）と、フロントパネル（２）とを備える引き出し（１５）であって、前記２つの引き出しフレーム部材（３）の各々は請求項１から１１のいずれか１項に記載の家具用取付具（１）によって前記フロントパネル（２）に接続される、引き出し（１５）。
【請求項１３】
家具枠体（１９）と、請求項１２に記載の引き出し（１５）の形をし、かつ前記家具枠体（１９）に対して移動可能である家具部分と、を備える家具（１８）。
【発明の詳細な説明】
【技術分野】
【０００１】
本発明は、引き出しフレーム部材に関連するフロントパネル用固定装置と、フロントパネルに取付け可能であり、かつフロントパネルに固定する取付け要素、特にだぼを有する接続要素とを備える引き出しフレーム部材にフロントパネルを取り付ける家具用取付具に関し、接続要素は解放可能でかつ固定装置に対して所定位置に特に調整可能に固定可能であり、第１の部分と取り付けられた位置における第１の部分に対して間隔を開けられた第２の部分とを有する。本発明は、さらに、このような家具用取付具を有する引き出しと、家具枠体およびこのような引き出しを有する家具とに関する。
【背景技術】
【０００２】
きわめて多様な技術的方法が引き出し容器、特にフレーム部材にフロントパネルを取り付ける分野において既に知られている。ほとんどの場合、このような家具用取付具は、一方でフロントパネルに関連しかつフロントパネルが取り外された状態においてさえもフロントパネルに残る接続要素を備える。他方で、家具用取付具は、フレーム部材に関連しかつフロントパネルに取り付けられた接続要素が接続される固定装置を有する。ほとんどの場合、家具用取付具の領域に配置されるのは、フレーム部材に関してフロントパネルの直接的または間接的な位置変位を可能にする調整要素である。
【０００３】
この種の家具用取付具は、基準日後に公開される特許文献１から周知である。その明細書の特に図１６に示される構造はフロントパネルに別々に取り付けられた２部分接続要素を示す。その構成の不都合な点は、接続要素のそれぞれの部分が比較的容易に方向を変えられ、それゆえ互いに関連した接続要素の２つの部分の方向は実際の引き出しに固定するのに必要な方向と一致しないように、接続要素のそれぞれの部分がフロントパネルの保持突起（ｈｏｌｄｉｎｇ  ｐｒｏｊｅｃｔｉｏｎ）のみにそれぞれ接続されることである。さらに、この構造の場合、最小在庫管理は、２つの互いに異なる部分を互いに別々に在庫しておく必要があり、かつ家具用取付具を生産する際に適正に関連付けられる必要があるのできわめて複雑かつ高価である。
【先行技術文献】
【特許文献】
【０００４】
【特許文献１】オーストリア特許５０９４１１  Ａ１号明細書
【発明の概要】
【発明が解決しようとする課題】
【０００５】
したがって、本発明の目的は、先端技術に関してあるいは先願の優先権の明細書に関して改良される家具用取付具を提供することである、特に、本発明は家具用取付具が任意の高さのフロントパネルに適することを条件とすることを目指すものである。さらに、本発明は、可能な限り簡単である家具用取付具部品の最小在庫管理を可能にすることを条件とすることを目指すものである。さらに、本発明は、接続要素をフロントパネルに取り付けるとき圧入力が種々の取付け要素に可能な限り均一に加えられうることを条件とすることを目指すものである。
【課題を解決するための手段】
【０００６】
これは、接続要素の第１の部分が少なくとも２つの取付け要素によってフロントパネルに接続可能でありかつ接続要素の第２の部分が少なくとも２つのさらなる取付け要素によってフロントパネルに接続可能であるという点で、請求項１の分類部分の特徴を有する家具用取付具に対して実現される。その意味で、接続要素の２つの部分を正確に互いに正しい方向に向けて取り付け、さらにフロントパネル上でその位置に留めることが可能である。さらに、非常に高いフロントパネル（たとえば、３０ｃｍ以上）を高さが適切に増加される引き出しフレーム部材に適合させることも可能であるように、接続要素の個々の部分は互いに間隔を比較的広く開けてフロントパネルに適合させることも可能である。高いフロントパネルの場合でも、この構造は少ない材料を有利に利用することができると同時に接続要素の部分をフロントパネルに移動不可能に適合させることができる。
【０００７】
本発明の好ましい実施形態は、接続要素が少なくとも２つのラッチング要素を有し、それによって接続要素は固定装置に固定可能であり、かつ好ましくは固定装置の中で吊り下げ可能であることを条件とすることができ、接続要素の第１の部分は第１のラッチング要素を有し、接続要素の第２の部分は第２のラッチング要素を有する。
【０００８】
本発明の好ましい実施形態では、接続要素の２つの部分は断面がＵ字形であり、横断リムによって互いに接続された２つの実質的に相互に平行なサイドプレートを有することが条件とされうる。その場合、それぞれの接続要素は、好ましくは金属製の一体型プレート状要素から打ち抜かれて曲げられる。
【０００９】
一方で丈夫な家具用取付具を、また他方でより廉価な家具用取付具を提供するために、特に好ましくは、固定装置は接続要素の第１の部分および第２の部分を固定可能である一体調整プレートを有することが条件とされうる。その結果、家具用取付具−特に適合されたフロントパネルを有する家具用取付具−は非常に堅牢である。さらに、高さおよび横調整手段はその一部分に作用しうる。
【００１０】
取付け要素をそれぞれの接続要素に適切に保持するために、少なくとも２つの取付け要素が接続要素のそれぞれの部分の横断リムに固定され、接続要素のそれぞれの部分の横断リムの側面（サイドプレートから遠い）から突き出ることが好ましくは条件とされうる。
【００１１】
接続要素と固定装置の接続が簡単な場合、横断リムから遠い領域におけるサイドプレートは接続要素のそれぞれの部分のラッチング要素を形成する好ましくは金属ピンによって接続されことが好ましく、接続要素のそれぞれの部分は固定装置のそれぞれのラッチング溝において上記ピンによって吊り下げられうる。
【００１２】
特に簡単な最小在庫管理を提供するために、接続要素の第１の部分および第２の部分は実質的に同じであることが好ましくは条件とされる。その点に関して、「実質的に同じである」とは、接続要素の個々の部分が同じ寸法から成り、かつ同じ製造工程で製造されることを意味する。生産技術に起因するわずかな違いがあってもよいことは理解されよう。
【００１３】
接続要素の第１の部分および第２の部分がフロントパネルへの取付け位置において互いに固定された移動不可能な位置関係を有する場合に、フロントパネルをフレーム部材に最適に固定することが特に重要である。その点に関して、接続要素の個々の部分の取付けは、フロントパネル上に整列されて実施されることが特に重要である。換言すると、接続要素の各部分は、相互に整列されてフロントパネルに取り付けられる。また、このことは、取付け要素のフロントパネルにあらかじめ設けられる穴（ｐｒｅ−ｂｏｒｅｓ）が一列に配置されるべきであることを意味する。
【００１４】
固定装置が固定装置の調整プレートに係合する少なくとも２つの調整要素を有し、それによって接続要素がフロントパネルとともに固定装置に取り付けられている状態で高さ方向および横方向に固定装置に対する位置について移動可能である場合、フレーム部材に対するフロントパネルの特に簡単な調整が実現される。
【００１５】
また、保護は、請求項１１の特徴を有する引き出しと請求項１２の特徴を有する家具に対して主張される。
【図面の簡単な説明】
【００１６】
本発明のさらなる詳細および優位性を以下の図面に示された例として実施形態を参照して具体的な記述によって以下でさらに詳しく説明する。
【図１】家具の図を示す。
【図２】固定前のフレーム部材およびフロントパネルの図を示す。
【図３】まだ互いに接続されていない家具用取付具の各部の図を示す。
【図４】フレーム部材に取り付けられたフロントパネルを示す。
【図５】家具用取付具の相互接続された各部を示す。
【図６】固定装置と接続要素の各部との側面図を示す。
【図７】図６における断面Ａ−Ａと断面Ｂ−Ｂを示す。
【図８】接続要素の同じ部分の図を示す。
【発明を実施するための形態】
【００１７】
図１は、家具枠体１９と引き出し１５の形をした家具部分とを備える家具１８を示し、引き出し１５は延長ガイド２０によって家具枠体１９に対して移動可能である。引き出し１５は、引き出しの底と、引き出し後壁１７と、引き出しの側壁を形成する２つのフレーム部材３と、フロントパネル２とを実質的に備える。
【００１８】
図２は接続要素５の部分５ａおよび５ｂを示し、これらは引き出しフレーム部材３を接続する前にフロントパネル２に相互に整列されて重ねられて配置される。図３は、家具用取付具１の最も重要な部分（２部分接続要素５および固定装置４）を例示する図２に関する破断図を示す。
【００１９】
図４では、フロントパネル２は引き出しフレーム部材３に固定される。これに対応して、図５は、固定装置４の調整プレート４ａにある対応するラッチング溝１２に、接続要素５の第１の部分５ａがそのラッチング要素７によって吊り下げられ、接続要素５の第２の部分５ｂがそのラッチング要素８によって吊り下げられる状況を示す。
【００２０】
図６の右側に示すのは、接続要素５の部分５ａおよび５ｂであり、これらは各々がだぼの形をした２つの取付け要素６を有する。この場合、これらは各々がフロントパネル２の対応する穴に固定可能であるようにだぼに係合する拡大部材２３によって拡大されうる。たとえば、欧州特許第０  ６９８  ３５７  Ａ１号明細書から知られるようなインサーターだぼ（ｉｎｓｅｒｔｅｒ  ｄｏｗｅｌｓ）の形の取付けも除外されるべきでないことは理解されよう。個々の取付け要素６におけるねじ止めなどの他の付属品タイプ（ｆｉｔｍｅｎｔ  ｔｙｐｅ）も除外されるべきでない。
【００２１】
図６の左側領域に示すのは、２つのフレームプレート４ｂおよび４ｃとフレームプレート４ｂおよび４ｃに対して移動可能である中心調整プレート４ａとを実質的に備える固定装置４である。その調整プレート４ａは、調整要素１３および１４によって高さ方向ＨＲおよび横方向ＳＲのフレームプレート４ｂおよび４ｃに対して移動可能である。また、調整プレート４ａに配置されるのは、固定装置４に対して接続要素５の取付け位置におけるラッチング溝１２の領域にラッチング要素８を拘束する枢動可能なロッキング要素２１である。ラッチング要素８（および７）はフロントパネルを持ち上げることによって固定装置４から上方に解放されるように、時計回りの方向におけるロッキング要素２１の枢動運動によってロッキングノーズ２２は左に向かって移動される。フロントパネル２全体を固定装置４で最終的に拘束される前に接続要素の部分５ａおよび５ｂによって所定位置で吊り下げることができるように、調整プレート４ａに吊下げ係合溝２４が設けられる。
【００２２】
断面Ａ−Ａの図７は断面がＵ字形である接続要素５の構成を示し、取付け要素６は拡大部２３を経由してサイドプレート１０の曲げによって強化される横断リム９に適合される。断面Ｂ−Ｂは、実質的に互いに平行であり、かつ横断リム９で各接続要素５の一体金属ベース要素を形成する比較的長いサイドプレート１０を示す。横断リム９から遠い領域では、ピン１１が２つのサイドプレート１０を接続し、そのピン１１は同時に第１のラッチング要素７および第２のラッチング要素８の形をしている。
【００２３】
図８は再び接続要素５の部分５ａおよび５ｂの構成を示し、これはＵ字形断面のものである。取付け要素６および拡大部分２３ならびにラッチング要素７および８も示される。接続要素５の各部５ａまたは５ｂに２つよりも多くの取付け要素６が設けられることが不可能ではないことは理解されよう。しかしながら、接続要素５の部分５ａまたは５ｂにつきまさに２つの取付け要素６を有する構造は、接続要素５をフロントパネル２に取り付けるときの取り付ける観点からも、均一な圧入力を加える観点からも最も簡単である。
【図１】
0005878547.tif 000002
【図２】
0005878547.tif 000003
【図３】
0005878547.tif 000004
【図４】
0005878547.tif 000005
【図５】
0005878547.tif 000006
【図６】
0005878547.tif 000007
【図７】
0005878547.tif 000008
【図８】
0005878547.tif 000009